(57)【要約】【課題】  被搬送物をスクリューの円周方向に連れ回らせることなく軸方向に沿って円滑且つ継続的に搬送することができるスクリューコンベア型搬送装置を提供する。【解決手段】  筒状のケーシング１１の内部に、モーター部１４と連結されたスクリュー１３がケーシング１１と同軸的に収容され、スクリュー１１をモーター部１４の駆動により回転させることによって、被搬送物６をケーシング１１の軸方向に沿って搬入口１１ａから搬出口１１ｂへ搬送する搬送装置１において、ケーシング１１の軸方向に対して垂直方向に、スクリュー１３の外縁から離間して被搬送物６の一部が入り込む一箇所または複数箇所のポケット部１０が形成されているものとした。【選択図】      図３
2005178983.tif 000002
【特許請求の範囲】
【請求項１】
筒状のケーシングの内部に、モーター部と連結されたスクリューがケーシングと同軸的に収容され、前記スクリューを前記モーター部の駆動により回転させることによって、被搬送物を前記ケーシングの軸方向に沿って搬入口から搬出口へ搬送する搬送装置において、前記ケーシングの軸方向に対して垂直方向に、前記スクリューの外縁から離間して前記被搬送物の一部が入り込む一箇所または複数箇所のポケット部が形成されていることを特徴とする搬送装置。
【請求項２】
前記ケーシングの軸方向に対して垂直方向の断面形状を多角形とすることにより、角部に前記ポケット部が形成される請求項１記載の搬送装置。
【請求項３】
円筒状ケーシングの軸方向に対して垂直方向の断面の一部を切り欠いて、切り欠いた部分に前記ポケット部を設けた請求項１記載の搬送装置。
【発明の詳細な説明】
【技術分野】
【０００１】
本発明は、例えば工作機械から排出された切粉等の被搬送物を自動搬送する搬送装置に関し、詳しくは、水平に設置された、または垂直方向に急傾斜した状態で設置されたケーシングの内部に同軸的に収容されたスクリューの回転によって、被搬送物がケーシングの一端部に設けられた搬入口から他端部の搬出口まで軸方向に沿って搬送される搬送装置に関するものである。
【背景技術】
【０００２】
例えば旋盤等の工作機械から排出される切粉を処分するために切粉缶等の容器へ搬送する手段として、従来より、スクリューコンベアを用いた切削屑搬送装置が知られている（特許文献１）。
【０００３】
これは、図６に示されているように、円筒形を呈するケーシング５１の内部に、モーター（不図示）と連結したスクリュー５３を同軸配置し、モーターの駆動によりスクリュー５３を回転させることによって、ケーシング５１の軸方向（図面に対して垂直方向）に沿って搬入口から搬出口へ向かって切粉５６を搬送するものである。
なお、図６では、スクリュー５３の羽根形状を示すために切粉５６を少量のみ図示してあるが、実際にはもっと多量の切粉がからみあった状態で羽根上に存在する。
【０００４】
このような搬送装置は、設置空間の都合上、通常、急傾斜した状態で設置されることが多く、ケーシングの下端部に設けられた搬入口からケーシング内に入った切粉は、スクリューの回転による推進力により軸方向に沿って上方へ押し上げられ、上端部に設けられた搬出口まで搬送されるようになっている。このとき、スクリュー羽根上の切粉がスクリュー羽根と共に円周方向に連れ回されることなく軸方向に移送されるためには、切粉とケーシング内壁との間の摩擦力が、切粉とスクリュー羽根表面との間の摩擦力よりも大きくなければならない。そのため、ケーシングの内壁と切粉との間には、常にある程度の摩擦力が生じることが必要である。
【０００５】
しかしながら、従来の搬送装置においては、図６に示すように、ケーシング５１の長手方向（軸方向）に対して垂直方向の断面形状が、スクリュー羽根外縁全周を全体に覆う円形であった。そのために、スクリュー５３によって移送される切粉５６がケーシング５１の内壁５１ｃに接触し、金属等からなる切粉５６が内壁５１ｃと擦れ合っていくうちに、内壁５１ｃが摩耗して滑りやすくなり、切粉５６との間の摩擦力が小さくなる。従って、切粉５６が内壁５１ｃ面上を滑り、軸方向に進まずに同じ軸方向位置でスクリュー羽根とともに円周方向に連れ回されてしまうために、軸方向に搬送されなくなる。
【特許文献１】特開平０６−１７０６８７号公報
【発明の開示】
【発明が解決しようとする課題】
【０００６】
本発明が解決しようとする問題点は、上記のように、従来のスクリューコンベア型搬送装置は、ケーシングの内壁が被搬送物の接触によって次第に摩耗し、内壁と被搬送物との間に摩擦力を生じなくなってしまうため、ケーシングの一端部に設けられた搬入口から他端部の搬出口まで軸方向に沿って被搬送物を搬送することが困難になるという点であり、被搬送物に対するケーシング内壁面の摩擦力を確保して、急傾斜した状態で設置された場合でも、被搬送物を円周方向に連れ回されることなく軸方向に沿って円滑且つ継続的に搬送することができるスクリューコンベア型搬送装置を提供することを目的とする。
【課題を解決するための手段】
【０００７】
上記の課題を解決するために、請求項１記載の発明は、筒状のケーシングの内部に、モーター部と連結されたスクリューがケーシングと同軸的に収容され、スクリューをモーター部の駆動により回転させることによって、被搬送物をケーシングの軸方向に沿って搬入口から搬出口へ搬送する搬送装置において、前記ケーシングの軸方向に対して垂直方向に、スクリューの外縁から離間して被搬送物の一部が入り込む一箇所または複数箇所のポケット部が形成されているものとした。
【０００８】
また、請求項２では、ケーシングの軸方向に対して垂直方向の断面形状を多角形とすることにより、角部にポケット部が形成されるものとした。
【０００９】
更に、請求項３では、円筒状ケーシングの軸方向に対して垂直方向の断面の一部を切り欠いて、切り欠いた部分に前記ポケット部を連結させたものとした。
【発明の効果】
【００１０】
請求項１の発明によると、被搬送物の一部がポケット部に入り、ポケット部に入り込んで詰まった被搬送物とスクリュー羽根上で搬送される被搬送物との間に常に円周回転方向の摩擦が生じる。これにより、スクリュー羽根上の被搬送物は、スクリューの回転時に円周方向に連れ回って回転することなく、軸方向に移送される。
【００１１】
請求項２記載の発明は、ケーシングの断面形状が正方形や五角形等、容易且つ安価に製造できるものであり、その形状によって被搬送物が入り込めるポケット部が形成され、被搬送物の搬送を円滑に行うことができる。
【００１２】
更に、請求項３記載の発明では、従来用いてきた円筒形のケーシングの一部を改造することにより、ポケット部を形成して、本発明の目的を達することができる。  
【発明を実施するための最良の形態】
【００１３】
以下、図面に基づいて、本発明の実施の形態を説明する。
【００１４】
図１は、本発明の搬送装置１が使用される機械加工設備を示すものであり、図２はその搬送装置１の要部詳細図（後述の図３乃至図５のＸ−Ｘ’断面図）である。旋盤等の工作機械２から排出された不図示の連続した長い切粉等の切削屑はクラッシャー３へ送出され、クラッシャー３内で細断されて細かい切粉となり、クラッシャー３の下方に設置された受け容器４内に落下し、搬送装置１によって容器５内へ搬送される。
【００１５】
搬送装置１はスクリューコンベアであり、図１および図２に示すように、傾斜した状態で設置された筒状のケーシング１１の内部に、モーター部１４と連結したスクリュー１３が収容されたものである。スクリュー１３はスクリュー軸１３ａとスクリュー羽根１３ｂとにより構成される。スクリュー軸１３ａはモーター部１４と連結され、ケーシング１１内に同軸的に装着される。ケーシング１１の設置角度は、例えば水平方向から傾斜角７０度程度の急傾斜で設置される。
【００１６】
ケーシング１１の下端部には、被搬送物（切粉）６を搬入するために、ケーシング１１の側壁の一部を切り欠いて形成した搬入口１１ａが設けられ、搬入口１１ａが受け容器４の底部に達するように、ケーシング１１が受け容器４内に差し込まれる。一方、ケーシング１１の上端付近には搬出口１１ｂが設けられ、搬出口１１ｂから搬出される被搬送物６が容器５内へ収容されるように、必要に応じてガイド１２が取り付けられる。
【００１７】
受け容器４内に入った被搬送物６は、図２の矢印に示す方向に搬送される。即ち、モーター部１４の駆動によってスクリュー１３が回転すると、被搬送物である切粉６は搬入口１１ａからケーシング１１内に入り、スクリュー１３による推進力を受けて上方へ押し上げられ、搬出口１１ｂから搬出される。このとき、スクリュー羽根１３ｂ上の被搬送物６は、後述の図３乃至図５に示すポケット部１０に入り込んだ切粉６と摩擦係合して円周方向の連れ回りが防止され、スクリュー羽根の押出し作用により軸方向に確実に移送される。
【実施例１】
【００１８】
図３は、ケーシング１１の長手方向（軸方向）に対して垂直方向の断面形状の一例として、正方形の場合を示すものである。
【００１９】
断面形状を正方形とすることにより、ケーシング１１の長手方向全長に渡って連続的に延在する四個所の角部が、スクリュー羽根１３ｂの外縁から離間して被搬送物６の一部が入り込むためのポケット部１０を形成する。このポケット部１０に入り込んだ被搬送物６と、スクリュー１３の羽根面に乗って搬送されている被搬送物６との間には摩擦が生じるので、スクリュー１３の回転時にスクリュー羽根１３ｂ上の搬送中の被搬送物６がスクリュー羽根１３ｂとともに円周方向に連れ回って回転することが防止され、被搬送物６を軸に沿って上方へ押し上げることができる。このように、ポケット部１０に入り込んだ被搬送物６により摩擦力が確保されて円滑な搬送を行うことができる。
【００２０】
また、断面が正方形の場合は、一般に使用されている角形鋼管をケーシング１１として使用することができるので、低コストで実施することができる。
【実施例２】
【００２１】
図４はケーシング１１の軸方向に対して垂直方向の断面形状が五角形の場合を示すものであり、五個所の角部にポケット部１０が形成されて被搬送物６の一部が入り込むことができる。
【００２２】
尚、ケーシング１１の断面形状は、四角形や五角形以外の多角形としても本発明を実施することができるが、角数が多くなるほど円形に近づくために、円形の場合と同様の問題点が生じて、効果が少なくなる。
【実施例３】
【００２３】
図５は、円形の断面を有するケーシング１１の断面の二個所を切り欠いて、ケーシング１１の長手方向全長に渡る溝型のポケット部１０を取り付けたものである。
【００２４】
この場合には、図３および図４の実施例において多角形の各角部にポケット部１０が形成された場合と同様に、被搬送物６の一部がポケット部１０に入り込み、ポケット部１０に入っている被搬送物６と搬送中の被搬送物６との間に摩擦力が生じて、スクリュー羽根１３ｂ上の被搬送物の円周方向の連れ回りを防止し、スクリュー羽根１３ｂ上の被搬送物６を軸方向に沿って上方へ搬送させることができる。尚、溝型のポケット部１０を形成するのは、断面の二個所に限ることはない。
【００２５】
また、ケーシング１１の断面形状は、図３乃至図５に示した実施例に限ることはないが、被搬送物６が入り込めるようなポケット部１０が形成される形状であることに加えて、容易に製造できる形態であることが好ましい。
【００２６】
更に、上記実施例のケーシング１１は、全長に渡って一定断面形状であるためポケット部も全長に渡って連続的に延在するが、ケーシングの断面形状によっては長手方向に間隔を隔てて間欠的に設けてもよい。
【図面の簡単な説明】
【００２７】
【図１】本発明の搬送装置を用いた機械加工設備を示す概略図。
【図２】図１の搬送装置下部を拡大した縦断面図。
【図３】本発明の実施例を示す軸方向に対して垂直方向の断面図。
【図４】本発明の異なる実施例を示す軸方向に対して垂直方向の断面図。
【図５】本発明の更に異なる実施例を示す軸方向に対して垂直方向の断面図。
【図６】従来例を示す軸方向に対して垂直方向の断面図。
【符号の説明】
【００２８】
１：搬送装置、２：工作機械、３：クラッシャー、４：受け容器、５：容器、６：被搬送物、１０：ポケット部、１１：ケーシング、１１ａ：搬入口、
１１ｂ：搬出口、１３：スクリュー、１４：モーター部。
【図１】
2005178983.tif 000003
【図２】
2005178983.tif 000004
【図３】
2005178983.tif 000005
【図４】
2005178983.tif 000006
【図５】
2005178983.tif 000007
【図６】
2005178983.tif 000008